(57)【要約】【課題】スケルチ制御の信頼性を高めることで、放送の信頼性を高めることができる、放送用中継局装置を提供すること。【解決手段】放送用中継局装置１は、放送用信号に対して周波数変換を含む所定処理を行う放送用中継局装置１であって、放送用信号を識別するための識別情報を当該放送用信号から取得し、取得した識別情報に基づいて、放送用信号又は放送用信号に基づいて生成された中間信号の出力遮断制御を行うデジタルスケルチ５と、所定条件が満たされた場合にデジタルスケルチ５の出力遮断制御を無効とする制御部８とを備える。【選択図】図１
2010093345.tif 000002
【特許請求の範囲】
【請求項１】
放送用信号に対して周波数変換を含む所定処理を行う放送用中継局装置であって、
前記放送用信号を識別するための識別情報を当該放送用信号から取得し、当該取得した識別情報に基づいて、当該放送用信号又は当該放送用信号に基づいて生成された中間信号の出力遮断制御を行う第１スケルチと、
所定条件が満たされた場合に前記第１スケルチの前記出力遮断制御を無効とするスケルチ制御手段と、
を備えることを特徴とする放送用中継局装置。
【請求項２】
前記スケルチ制御手段は、前記放送用信号又は前記中間信号のレベルが所定範囲に含まれない場合に前記第１スケルチの前記出力遮断制御を無効とすること、
を特徴とする請求項１に記載の放送用中継局装置。
【請求項３】
前記放送用信号又は前記中間信号のレベルが前記所定範囲である場合に当該放送用信号又は当該中間信号の出力を遮断する第２スケルチを備えること、
を特徴とする請求項２に記載の放送用中継局装置。
【発明の詳細な説明】
【技術分野】
【０００１】
本発明は、放送用中継局装置に関する。
【背景技術】
【０００２】
従来からＴＶ放送の放送システムにおいては、放送電波を山間部等の難視聴地域に伝送するために放送用中継局装置が利用されている。この放送用中継局装置は、山の頂上付近に建てられた中継所の内部に設置され、放送局から送信された放送波をアンテナで受信し、ここで信号の増幅やノイズの除去などを行って、再び送信信号を構成してこれを放送波として目的の難視聴地域に向けて送信するものである。
【０００３】
図６は、従来の放送用中継局装置の構成を示したブロック図である。放送用中継局装置１００は、受信アンテナ１０１、受信変換部１０２、送信変換部１０３、ＰＡ（Ｐｏｗｅｒ  Ａｍｐｌｉｆｉｅｒ）１０４、及び送信アンテナ１０５を備えて構成されていた。受信アンテナ１０１は、図示しない放送局から送信された放送波を受信して放送用信号として受信変換部１０２に出力する。受信変換部１０２は、放送用信号を所定の中間信号に変換し、中間信号に対するノイズ除去や信号増幅を行った後、この中間信号を送信変換部１０３に出力する。送信変換部１０３は、中間信号を目的の周波数の放送用信号に変換し、この放送用信号をＰＡ１０４に出力する。ＰＡ１０４は、放送用信号を増幅して送信アンテナ１０５に出力し、送信アンテナ１０５は放送用信号を放送波として送信する。
【０００４】
ここで、受信変換部１０２及び送信変換部１０３の各々には、スケルチ１０２ａ、１０３ａが内蔵されていた。これらスケルチ１０２ａ、１０３ａは、放送用中継局装置１００から出力されるノイズを抑制する。すなわち、受信変換部１０２や送信変換部１０３の内部には、図示しないＡＧＣ（Ａｕｔｏｍａｔｉｃ  Ｇａｉｎ  Ｃｏｎｔｒｏｌ）が設けられており、このＡＧＣを用いて利得を自動制御することで、受信変換部１０２や送信変換部１０３からの出力レベルを所定レベルに維持する。このため、放送休止中等の理由によって放送波がない時には、受信変換部１０２や送信変換部１０３に対する入力レベルが低いものと判定してノイズを最大利得で増幅してしまい、これら受信変換部１０２や送信変換部１０３からノイズが出力され、不要放射となってしまう。この問題を防止するため、スケルチ１０２ａ、１０３ａにより、受信変換部１０２や送信変換部１０３に対する入力レベル（ＲＦレベル）を判定し、当該入力レベルが所定レベル（以下「スケルチレベル」）以下である場合には、ＡＧＣの増幅機能をＯＦＦとすること等により、放送用信号の出力を遮断していた（例えば、特許文献１参照）。
【０００５】
【特許文献１】特開２００４−０４８１４１号公報
【発明の開示】
【発明が解決しようとする課題】
【０００６】
しかしながら、従来の放送用中継局装置１００においては、スケルチ１０２ａ、１０３ａにおけるＡＧＣの制御を入力レベルのみに基づいて行っていたので、例えば、放送休止中等の理由によって放送波がない時に、他の地域の同一チャンネルの放送波がスケルチレベル以上のレベルで放送用中継局装置１００に飛び込んできた場合、スケルチ１０２ａ、１０３ａは放送用信号の出力を継続してしまう可能性があった。
【０００７】
このような問題を防止するためには、スケルチ１０２ａ、１０３ａの制御を入力レベル以外の情報に基づいて行うことも考えられる。例えば、中継を行うべき所定の放送波（以下「希望波」）であるか否かを識別するための識別情報を当該放送波に含めておき、スケルチ１０２ａ、１０３ａでは、当該識別情報に基づいて放送波の判別を行い、希望波である場合には放送用信号の出力を継続し、希望波でない場合には放送用信号の出力を遮断することが考えられる。
【０００８】
しかしながら、このようにスケルチ１０２ａ、１０３ａの機能を高度化する程、一般的には、何らの原因によってスケルチ１０２ａ、１０３ａが故障したり誤判定を起こしたりする可能性が増大する。この場合、十分な入力レベルの希望波があるにも関わらず、スケルチ１０２ａ、１０３ａの不具合によって放送用信号の出力を遮断してしまい、放送事故を招いてしまう可能性が生じるため、放送の信頼性を低下させることになる。
【０００９】
本発明は、上記に鑑みてなされたものであって、スケルチ制御の信頼性を高めることで、放送の信頼性を高めることができる、放送用中継局装置を提供することを目的とする。
【課題を解決するための手段】
【００１０】
上述した課題を解決し、目的を達成するために、請求項１に記載の放送用中継局装置は、放送用信号に対して周波数変換を含む所定処理を行う放送用中継局装置であって、前記放送用信号を識別するための識別情報を当該放送用信号から取得し、当該取得した識別情報に基づいて、当該放送用信号又は当該放送用信号に基づいて生成された中間信号の出力遮断制御を行う第１スケルチと、所定条件が満たされた場合に前記第１スケルチの前記出力遮断制御を無効とするスケルチ制御手段と、を備えることを特徴とする。
【００１１】
また、請求項２に記載の放送用中継局装置は、請求項１に記載の放送用中継局装置において、前記スケルチ制御手段は、前記放送用信号又は前記中間信号のレベルが所定範囲に含まれない場合に前記第１スケルチの前記出力遮断制御を無効とすることを特徴とする。
【００１２】
また、請求項３に記載の放送用中継局装置は、請求項２に記載の放送用中継局装置において、前記放送用信号又は前記中間信号のレベルが前記所定範囲である場合に当該放送用信号又は当該中間信号の出力を遮断する第２スケルチを備えることを特徴とする。
【発明の効果】
【００１３】
請求項１に記載の本発明によれば、所定条件が満たされた場合に第１スケルチの出力遮断制御をスケルチ制御手段が無効とするので、第１スケルチの不具合によって放送用信号の出力が遮断される可能性を低減できる。
【００１４】
また、請求項２に記載の本発明によれば、放送用信号又は中間信号のレベルが所定範囲に含まれない場合に第１スケルチの出力遮断制御を無効とするので、十分なレベルの放送用信号が入力されているにも関わらず、第１スケルチの不具合によって放送用信号の出力が遮断されることを回避できる。
【００１５】
また、請求項３に記載の本発明によれば、放送用信号又は中間信号のレベルが所定範囲である場合に当該放送用信号又は当該中間信号の出力を遮断する第２スケルチを備えているので、第１スケルチの不具合によって出力遮断制御ができなくなった場合でも、第２スケルチによって出力遮断を実行させることができる。また、放送用信号のレベルが所定範囲にあるにも関わらず第２スケルチによる出力遮断制御が行われない場合であっても、第１スケルチによって高精度に出力遮断制御が実行されるので、放送の信頼性を高めることができる。
【発明を実施するための最良の形態】
【００１６】
以下に添付図面を参照して、この発明に係る放送用中継局装置の実施の形態を詳細に説明する。まず、〔Ｉ〕実施の形態の基本的概念を説明した後、〔II〕実施の形態の具体的内容について順次説明し、最後に、〔III〕実施の形態に対する変形例について説明する。ただし、実施の形態によって本発明が限定されるものではない。
【００１７】
〔Ｉ〕実施の形態の基本的概念
まず、実施の形態の基本的概念について説明する。実施の形態に係る放送用中継局装置は、ＴＶ放送の放送システムにおいて、放送電波を入力信号として受信し、これに周波数変換を含む処理を施して出力信号を生成する機能を備えるものである。この種の放送用中継局装置において、入力信号は、発振器からの所定周波数の信号と混合され、その処理のために一旦中間信号に変換される。この状態でフィルタ回路によって信号ノイズの除去が施され、必要な信号増幅などが行われる。これらの処理を経た中間信号は、入力信号と同じかあるいは任意の周波数に、再度変換され出力される。
【００１８】
この放送用中継局装置は、ＴＶ放送の放送システムにおいて、放送電波を山間部等の難視聴地域に中継するためのものであり、特に、本発明に係るものは、放送用信号を所定周波数の中間信号に変換した後、当該中間信号を所定周波数の放送用信号に変換する信号変換機能を備えた放送用中継局装置である。実施の形態が適用される放送用中継局装置は、その形式として、放送電波を受信する受信所と難視聴地域に電波を送信する送信所とが分離され光ファイバーなどの伝送路によって接続された分離型か、受信機と送信機が一箇所にある非分離型かを問わない。以下の実施の形態では、この放送電波の中継用の放送用中継局装置を例に挙げて説明する。なお、放送用中継局装置の構成としては、分波方法によって、ＳＣＰＡ（Ｓｉｎｇｌｅ  Ｃｈａｎｎｅｌ  Ｐｏｗｅｒ  Ａｍｐｌｉｆｉｅｒ）とＭＣＰＡ（Ｍｕｌｔｉ  Ｃｈａｎｎｅｌ  Ｐｏｗｅｒ  Ａｍｐｌｉｆｉｅｒ）に大別でき、本発明はいずれの構成にも同様に適用できるが、以下ではＳＣＰＡの例について説明する。
【００１９】
この他、本発明に係る放送用中継局装置の代表的な例としては、共聴用レベルコントローラがある。共聴用レベルコントローラは、共同住宅における受信側装置として備えられ、各受信チャンネル毎の利得ばらつきを調整して安定した出力信号を、同軸ケーブルなどを介して各住戸に出力するためのものである。共聴用レベルコントローラにおいても、入力信号としての放送電波は、各チャンネル毎に分波された後、ＳＡＷフィルタ（弾性表面波フィルタ）などで目的外の周波数成分を除去するために、一旦、発振器からの所定周波数信号と混合されて、所定の中間周波数信号に変換される。
【００２０】
〔II〕実施の形態の具体的内容
次に、実施の形態の具体的内容について説明する。
【００２１】
（放送用中継局装置の構成）
まず、本実施の形態に係る放送用中継局装置の構成を説明する。図１は、放送用中継局装置の構成を示すブロック図である。この放送用中継局装置１は、受信アンテナ２、受信変換部３、送信変換部４、デジタルスケルチ５、ＰＡ６、送信アンテナ７、及び制御部８を備えている。
【００２２】
（放送用中継局装置の構成−受信アンテナ、ＰＡ、送信アンテナ）
受信アンテナ２は、放送局から送信された放送波を受信して放送用信号として受信変換部３に出力する。ＰＡ６は、放送用信号を増幅して送信アンテナ７に出力する増幅手段である。送信アンテナ７は、放送用信号を放送波として送信する。なお、これら受信アンテナ２、ＰＡ６、及び送信アンテナ７については、従来と同様に構成できるので、その詳細な説明は省略する。
【００２３】
（放送用中継局装置の構成−受信変換部、送信変換部）
受信変換部３は、放送用信号を所定の中間信号に変換する中間信号変換手段である。送信変換部４は、中間信号を目的の周波数の放送用信号に変換する放送用信号変換手段である。これら受信変換部３や送信変換部４においては、中間信号に対するノイズ除去や信号増幅が行われる。また、受信変換部３及び送信変換部４の各々は、ＲＦスケルチ３ａ、４ａを備えている。ＲＦスケルチ３ａ、４ａは、受信変換部３に入力される放送用信号や送信変換部４に入力される中間信号が確認できない場合、具体的には放送用信号又は中間信号のレベルが所定範囲（例えば、無信号と判断される信号レベルの範囲（以下「スケルチ動作範囲」））の場合、受信変換部３において増幅された中間信号が送信変換部４側へ出力されないように、又は送信変換部４において増幅された中間信号がデジタルスケルチ５側へ出力されないように出力遮断制御を行うためのもので、特許請求の範囲における第２スケルチに対応する。
【００２４】
（放送用中継局装置の構成−デジタルスケルチ）
次いで、デジタルスケルチ５について説明する。このデジタルスケルチ５は、放送用信号又は当該放送用信号に基づいて生成された中間信号の出力遮断制御を行うためのもので、特許請求の範囲における第１スケルチに対応する。図２は、図１のデジタルスケルチ５の構成を示すブロック図である。デジタルスケルチ５は、入力端子５ａ、出力端子５ｂ、復調部５ｃ、ＮＩＴ取得部５ｄ、ＮＩＴ判定部５ｅ、スケルチ制御部５ｆ、入出力Ｉ／Ｆ５ｇ、チャンネル表示器５ｈ、チャンネル設定ＳＷ５ｉ、同期表示灯５ｊ、ＮＩＴ受信表示灯５ｋ、ＮＩＴ設定ＳＷ５ｍ、スケルチ表示灯５ｎ、及び制御スイッチ５ｐを備えている。
【００２５】
入力端子５ａは、前段機器（ここでは送信変換部４)からの放送用信号の入力を受け付ける入力手段である。出力端子５ｂは、後段機器（ここではＰＡ６）へ放送用信号を出力する出力手段である。復調部５ｃは、入力端子５ａから出力端子５ｂに至る線路から放送用信号を取得し、当該取得した放送用信号を復調してＮＩＴ取得部５ｄに出力する。
【００２６】
ＮＩＴ取得部５ｄは、放送用信号に多重されたＮＩＴ（Ｎｅｔｗｏｒｋ  Ｉｎｆｏｒｍａｔｉｏｎ  Ｔａｂｌｅ）を取得してＮＩＴ判定部５ｅに出力するＮＩＴ取得手段である。ＮＩＴは、放送用中継局装置１によって中継を行うべき放送用信号を識別するための識別情報である。ただし、識別情報の具体的種類は任意であり、ＮＩＴに代えて、ＳＤＴ（Ｓｅｒｖｉｃｅ  Ｄｅｓｃｒｉｐｔｉｏｎ  Ｔａｂｌｅ）、ＢＩＴ（Ｂｒｏａｄｃａｓｔｅｒ  Ｉｎｆｏｒｍａｔｉｏｎ  Ｔａｂｌｅ）、ＥＩＴ（Ｅｖｅｎｔ  Ｉｎｆｏｒｍａｔｉｏｎ  Ｔａｂｌｅ）、ＣＤＴ（Ｃｏｍｍｏｎ  Ｄａｔａ  Ｔａｂｌｅ）を含む、任意の情報を用いることができる。
【００２７】
ＮＩＴ判定部５ｅは、入力端子５ａを介して入力された放送用信号が、当該放送用中継局装置１によって中継を行うべき放送用信号であるか否かを判定するためのものである。例えば、ＮＩＴ判定部５ｅは、当該放送用中継局装置１によって中継を行うべき放送用信号のＮＩＴを予め保持しており、このＮＩＴとＮＩＴ取得部５ｄにて取得されたＮＩＴとが相互に一致するか否かを判定することで、放送用信号の適否を判定する。これら２つのＮＩＴが相互に一致する場合におけるＮＩＴ判定部５ｅの判定結果を「ＯＫ」、相互に一致しない場合におけるＮＩＴ判定部５ｅの判定結果を「ＮＧ」と称する。なお、ＮＩＴ判定結果としては、ＮＩＴが取得できなかった場合（ＮＩＴ無）や、ＮＩＴに何らかのエラーがあった場合（ＮＩＴエラー）が含まれえるが、これらいずれかの場合には、例えばＮＩＴ一致として判定する。
【００２８】
スケルチ制御部５ｆは、出力遮断制御を行うための所定条件が充足したか否か判定し、当該所定条件が充足した場合に出力遮断制御を行う。所定条件の具体的な内容は任意で、例えば、「ＮＩＴ判定部５ｅの判定結果がＮＧであること」を所定条件とし、この条件が充足した場合に、出力遮断制御を行うようにすることができる。
【００２９】
入出力Ｉ／Ｆ５ｇは、外部機器との間で有線又は無線により通信を行うための入出力手段である。例えば、外部機器としては、制御部８及び遠方監視装置が想定される。遠方監視装置とは、例えば放送局等に配置される装置であり、山間部に設置された放送用中継局装置１を直接操作することが困難な場合に、所定形式の制御信号を放送用中継局装置１に送信することで、この放送用中継局装置１を遠隔操作するための装置である。
【００３０】
チャンネル表示器５ｈは、当該放送用中継局装置１によって中継を行うべき放送用信号のチャンネル番号を表示する表示手段であり、例えば、７セグメント表示器によって構成される。チャンネル設定ＳＷ５ｉは、中継を行うべき放送用信号のチャンネル番号を設定するための入力スイッチである。同期表示灯５ｊは、放送用信号との同期状態を示す表示手段、ＮＩＴ受信表示灯５ｋは、放送用信号からのＮＩＴの取得状態を示す表示手段、スケルチ表示灯５ｎは、出力遮断制御の状態を示す表示手段であり、これらは例えばＬＥＤ（Ｌｉｇｈｔ  Ｅｍｉｔｔｉｎｇ  Ｄｉｏｄｅ）を用いて構成される。ＮＩＴ設定ＳＷ５ｍは、中継を行うべき放送用信号のＮＩＴを設定するための入力スイッチである。
【００３１】
制御スイッチ５ｐは、出力遮断制御を自動的に解除することで、放送用信号をいわゆるスルー状態で出力端子５ｂに出力させるための指示手段であり、この制御スイッチ５ｐが押圧されると、当該制御スイッチ５ｐが再び押圧されるまで押圧状態が機械的に保持され、押圧状態が保持されている間は、所定条件の充足の有無に関わらず、出力遮断制御が解除される。
【００３２】
（放送用中継局装置の構成−制御部）
図１に戻り、制御部８は、所定条件が満たされた場合にデジタルスケルチ５の出力遮断制御を無効とするスケルチ制御手段である。この制御部８による制御の概念を図３に示す。具体的には、制御部８は、受信アンテナ２にて受信された放送用信号のレベルを特定し、当該レベルが所定範囲に含まれない場合にデジタルスケルチ５の出力遮断制御を無効とする。例えば、特定した放送用信号のレベルが、ＲＦスケルチ３ａ、４ａが出力遮断制御を行うスケルチ動作範囲に含まれない場合に、制御部８がデジタルスケルチ５の出力遮断制御を無効とするように設定することができる。これにより、放送用信号の入力レベルがスケルチ動作範囲よりも大きい場合にはデジタルスケルチ５による出力遮断制御が行われないので、デジタルスケルチ５の不具合によって放送用信号の出力が遮断され、放送事故が発生することを回避できる。
【００３３】
（処理）
次に、この放送用中継局装置１において行われる各種処理について説明する。この処理は、チャンネル及びＮＩＴを放送用中継局装置１に設定するための設定処理、及び放送用信号の中継を行うための中継処理に大別される。
【００３４】
（処理−設定処理）
最初に、設定処理について説明する。図４は設定処理のフローチャートである。この設定処理は、中継処理に先立つ任意のタイミングで開始されるもので、入力端子５ａに放送用信号を入力している状態で、操作者がチャンネル設定ＳＷ５ｉを押すことにより開始される。チャンネル設定ＳＷ５ｉが押されると、復調部５ｃにて復調された放送用信号からＮＩＴ取得部５ｄにて取得されたＮＩＴと、放送用信号の周波数に基づいて所定方法で特定されたチャンネル番号とが、チャンネル表示部に表示される。例えば、ＮＩＴとチャンネル番号は交互に表示され、ＮＩＴの桁数がチャンネル表示部の表示桁数より多い場合には、ＮＩＴは複数に分割して順次表示される（ＳＡ１）。操作者は、これらチャンネル番号及びＮＩＴの表示内容を確認し、希望波のチャンネル番号及びＮＩＴの内容に一致している場合には、ＮＩＴ設定ＳＷ５ｍを押すことで、ＮＩＴ設定を指示する（ＳＡ２）。この指示を受けたＮＩＴ判定部５ｅは（ＳＡ２、Ｙｅｓ）、その時点においてチャンネル表示部に表示していたＮＩＴを内部に保持する（ＳＡ３）。また、この際、ＮＩＴの到来タイミングと、ＮＩＴの取得／判定タイミングを合致させる同期処理を行う。これにて設定処理が終了する。
【００３５】
（処理−中継処理）
次に、中継処理について説明する。図５は中継処理のフローチャートである。制御部８は、受信アンテナ２にて受信された放送用信号のレベルがスケルチ動作範囲に含まれるか否かを判定し（ＳＢ１）、含まれる場合（ＳＢ１、Ｙｅｓ）、デジタルスケルチ５による出力遮断制御を有効とする（ＳＢ２）。続いて、ＮＩＴ判定部５ｅは、設定処理によってＮＩＴ判定部５ｅが保持しているＮＩＴと、放送用信号からＮＩＴ取得部５ｄが取得したＮＩＴとが相互に一致するか否かを判定し（ＳＢ３）、相互に一致しない場合（ＮＩＴ判定部５ｅの判定結果がＮＧ）（ＳＢ３、Ｎｏ）、スケルチ制御部５ｆが出力遮断制御を実行する（ＳＢ４）。これにより、放送用信号のレベルがスケルチ動作範囲にあるにも関わらずＲＦスケルチ３ａ、４ａによる出力遮断制御が行われない場合であっても、デジタルスケルチ５によって高精度に出力遮断制御が実行される。以降、ＮＩＴ判定部５ｅは、ＮＩＴ判定部５ｅが保持しているＮＩＴと、ＮＩＴ取得部５ｄにて取得されたＮＩＴが相互に一致しているか否かを監視し（ＳＢ５）、一致する場合には（ＳＢ５、Ｙｅｓ）、出力遮断制御を解除する（ＳＢ６）。そして、後段機器であるＰＡ６へ放送用信号を出力する（ＳＢ７)。また、ＳＢ３においてＮＩＴが相互に一致した場合（ＮＩＴ判定部５ｅの判定結果がＯＫ）（ＳＢ３、Ｙｅｓ)、スケルチ制御部５ｆは出力遮断制御を行わず、後段機器であるＰＡ６へ放送用信号を出力する（ＳＢ７)。
【００３６】
一方、放送用信号のレベルがスケルチ動作範囲に含まれない場合（ＳＢ１、Ｎｏ）、制御部８はデジタルスケルチ５による出力遮断制御を無効とする（ＳＢ８）。すなわち、ＮＩＴ判定部５ｅによる判定結果の如何に関わらず、スケルチ制御部５ｆは後段機器であるＰＡ６へ放送用信号を出力する（ＳＢ７）。これにより、十分なレベルの放送用信号が入力されているにも関わらず、デジタルスケルチ５の不具合によって放送用信号の出力が遮断されることを回避できる。その後、ＳＢ１に戻り、放送用信号のレベルがスケルチ動作範囲に含まれるか否かを再度判定する（ＳＢ１）。
【００３７】
（実施の形態の効果）
このように実施の形態によれば、所定条件が満たされた場合にデジタルスケルチ５の出力遮断制御を制御部８が無効とするので、デジタルスケルチ５の不具合によって放送用信号の出力が遮断される可能性を低減できる。
【００３８】
特に、放送用信号のレベルが所定範囲に含まれない場合にデジタルスケルチ５の出力遮断制御を無効とするので、十分なレベルの放送用信号が入力されているにも関わらず、デジタルスケルチ５の不具合によって放送用信号の出力が遮断されることを回避できる。
【００３９】
また、放送用信号又は中間信号のレベルがスケルチ動作範囲である場合に当該放送用信号又は当該中間信号の出力を遮断するＲＦスケルチ３ａ、４ａを備えているので、デジタルスケルチ５の不具合によって出力遮断制御ができなくなった場合でも、ＲＦスケルチ３ａ、４ａによって出力遮断を実行させることができる。また、放送用信号のレベルがスケルチ動作範囲にあるにも関わらずＲＦスケルチ３ａ、４ａによる出力遮断制御が行われない場合であっても、デジタルスケルチ５によって高精度に出力遮断制御が実行されるので、放送の信頼性を高めることができる。
【００４０】
〔III〕実施の形態に対する変形例
以上、実施の形態について説明したが、本発明の具体的な構成及び手段は、特許請求の範囲に記載した各発明の技術的思想の範囲内において、任意に改変及び改良することができる。以下、このような変形例について説明する。
【００４１】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００４２】
（デジタルスケルチについて）
上述の実施の形態では、デジタルスケルチ５は送信変換部４とＰＡ６との間に設けられているが、受信変換部３の前段にデジタルスケルチ５を設けてもよい。あるいは、受信アンテナ２が受信した放送用信号を、受信変換部３から送信変換部４を介してＰＡ６に至る系統とは別系統でデジタルスケルチ５に入力し、当該入力した放送用信号に基づいてデジタルスケルチ５がＰＡ６の動作を制御するようにしてもよい。これらの何れの場合においても、放送用信号又は当該放送用信号に基づいて生成された中間信号の出力遮断制御をデジタルスケルチ５によって行わせることができる。
【００４３】
（制御部について）
上述の実施の形態では、制御部８は放送用信号のレベルが所定範囲に含まれない場合にデジタルスケルチ５の出力遮断制御を無効とすると説明したが、受信変換部３から出力された中間信号のレベルを特定し、当該中間信号のレベルが所定範囲に含まれない場合にデジタルスケルチ５の出力遮断制御を無効とするようにしてもよい。
【００４４】
また、放送用信号のレベルがＲＦスケルチ３ａ、４ａのスケルチ動作範囲に含まれない場合に制御部８がデジタルスケルチ５の出力遮断制御を無効とするように設定すると説明したが、他の条件が満たされた場合にデジタルスケルチ５の出力遮断制御を無効とするようにしてもよい。例えば、放送用信号のレベルがスケルチ動作範囲に含まれる場合にデジタルスケルチ５の出力遮断制御を無効とし、放送用信号のレベルがスケルチ動作範囲に含まれない場合にはデジタルスケルチ５の出力遮断制御を行わせてもよい。これにより、他の地域の同一チャンネルの放送波をスケルチ動作範囲を超えるレベルで受信したために、ＲＦスケルチ３ａ、４ａが出力遮断制御を行わずに放送用信号の出力を継続してしまった場合であっても、デジタルスケルチ５によって高精度に放送用信号の出力を遮断することができる。
【産業上の利用可能性】
【００４５】
この発明に係る放送用中継局装置は、スケルチ制御の信頼性を高めることで、放送の信頼性を高めることができる、放送用中継局装置に有用である。
【図面の簡単な説明】
【００４６】
【図１】放送用中継局装置の構成を示すブロック図である。
【図２】図１のデジタルスケルチの構成を示すブロック図である。
【図３】制御部による制御の概念を示す図である。
【図４】設定処理のフローチャートである。
【図５】中継処理のフローチャートである。
【図６】従来の放送用中継局装置の構成を示したブロック図である。
【符号の説明】
【００４７】
１、１００  放送用中継局装置
２、１０１  受信アンテナ
３、１０２  受信変換部
３ａ、４ａ  ＲＦスケルチ
４、１０３  送信変換部
５  デジタルスケルチ
５ａ  入力端子
５ｂ  出力端子
５ｃ  復調部
５ｄ  ＮＩＴ取得部
５ｅ  ＮＩＴ判定部
５ｆ  スケルチ制御部
５ｇ  入出力Ｉ／Ｆ
５ｈ  チャンネル表示器
５ｉ  チャンネル設定ＳＷ
５ｊ  同期表示灯
５ｋ  ＮＩＴ受信表示灯
５ｍ  ＮＩＴ設定ＳＷ
５ｎ  スケルチ表示灯
５ｐ  制御スイッチ
６、１０４  ＰＡ
７、１０５  送信アンテナ
８  制御部
１０２ａ、１０３ａ  スケルチ
【図１】
2010093345.tif 000003
【図２】
2010093345.tif 000004
【図３】
2010093345.tif 000005
【図４】
2010093345.tif 000006
【図５】
2010093345.tif 000007
【図６】
2010093345.tif 000008